(57)【特許請求の範囲】
【請求項１】
コネクタとこのコネクタを遊動可能に支持する支持部材とを備えた電気部品を相手側部材に組み付けることにより、前記コネクタを前記相手側部材における所定の装着箇所に取り付けるためのコネクタの取付構造であって、
前記所定の装着箇所に取り付けられた前記コネクタの軸心と平行をなす軸をＺ軸と定義したときに、
前記支持部材は、前記コネクタを遊動可能に支持する取付片と、前記取付片の両側に対向配置された一対の規制片とを備え、この規制片の先端縁部に傾き規制部が設けられ、この傾き規制部は、前記コネクタと一対の当接部で接しており、両当接部を結ぶ方向とは交差する方向に一対の傾き規制部が備えられており、
両傾き規制部は、前記コネクタの軸心が前記Ｚ軸に対して傾くことを規制しつつ、前記コネクタが前記Ｚ軸と交差する平面に沿う方向へ移動することを許容することを特徴とするコネクタの取付構造。
【請求項２】
前記両傾き規制部は、前記両規制片の先端外周縁と、前記両規制片の先端縁部から側方に突出する一対の突部の外周面とから構成されているものにおいて、
前記コネクタは、前記両規制片の先端外周縁と当接可能な一対の被当接面と、前記両被当接面から突出して設けられ前記両規制片と対向配置された一対の撓み片と、前記両撓み片に貫通して設けられ前記両突部の外周面と当接可能な内周面を有する一対の規制孔とを備えている請求項１に記載のコネクタの取付構造。
【請求項３】
前記コネクタは、前記支持部材に対して正規位置と端部位置との間を幅方向に移動可能とされており、前記コネクタは、前記端部位置にあるときに前記両規制孔の内周面の一方が前記突部の外周面と非接触状態となり、一方の前記規制孔の内周面に替わって前記規制片の先端外周縁と当接可能となる補助突部を幅方向両側に一対備えている請求項２に記載のコネクタの取付構造。
【発明の詳細な説明】
【技術分野】
【０００１】
本発明は、コネクタを相手側部材における所定の装着箇所に取り付けるためのコネクタの取付構造に関する。
【背景技術】
【０００２】
例えば、自動車のオートマチックトランスミッション等に用いられる電気部品として、コネクタとブラケットを備え、コネクタがブラケットによって遊動可能に支持されている構成のものがある（例えば下記特許文献１）。このコネクタは、電気部品を相手側部材に組み付けることにより、相手側部材の取付孔に取り付けられるようになっている。このような電気部品によると、コネクタが支持部材に対して遊動可能に支持されているから、コネクタを取付孔へ取り付ける途中で、コネクタに無理な力が加わることを防ぐことができる。
【特許文献１】特開２００６−４８４０公報
【発明の開示】
【発明が解決しようとする課題】
【０００３】
しかしながら、上記コネクタの取付構造では、コネクタがブラケットに対して遊動可能に支持されているから、コネクタの取付開始前に、コネクタが正規の取付方向に対して傾いた姿勢となりやすく、コネクタの軸心を取付孔に向ける作業が困難になる。かといって、コネクタがブラケットに対して遊動することを規制してしまうと、コネクタの取付完了後、他の部品等をブラケット側に取り付ける際に、取付位置の微調整ができなくなる。したがって、コネクタが取付孔に取り付けられた後においては、取付位置の微調整を可能にすべくブラケット側がコネクタに対して遊動可能であることが望ましい。
本発明は上記のような事情に基づいて完成されたものであって、コネクタが正規の取付方向に対して傾いた姿勢となることを規制しつつ、正規の取付方向とは交差する方向へ移動することを許容することを目的とする。
【課題を解決するための手段】
【０００４】
本発明は、コネクタとこのコネクタを遊動可能に支持する支持部材とを備えた電気部品を相手側部材に組み付けることにより、コネクタを相手側部材における所定の装着箇所に取り付けるためのコネクタの取付構造であって、所定の装着箇所に取り付けられたコネクタの軸心と平行をなす軸をＺ軸と定義したときに、前記支持部材は、コネクタを遊動可能に支持する取付片と、取付片の両側に対向配置された一対の規制片とを備え、この規制片の先端縁部に傾き規制部が設けられ、この傾き規制部は、コネクタと一対の当接部で接しており、両当接部を結ぶ方向とは交差する方向に一対の傾き規制部が備えられており、両傾き規制部は、コネクタの軸心がＺ軸に対して傾くことを規制しつつ、コネクタがＺ軸と交差する平面に沿う方向へ移動することを許容する構成としたところに特徴を有する。
【０００５】
このような構成によると、コネクタを所定の装着箇所へ取り付ける際に、両当接部を結ぶ方向とは交差する方向に配置された両傾き規制部がそれぞれコネクタに当接すると共に、各傾き規制部において両当接部がコネクタに当接するから、コネクタが正規の取付方向に対して傾くことが規制される。したがって、コネクタの軸心を所定の装着箇所に向けてコネクタを所定の装着箇所に対して芯合わせする作業が容易になる。また、コネクタを所定の装着箇所に取り付けた後においては、支持部材側をコネクタに対して正規の取付方向と交差する方向へ移動させることができる。したがって、他の部品等を支持部材側に取り付ける際に、その取付位置の微調整が可能になる。
【０００６】
本発明の実施の態様として、以下の構成が好ましい。
両傾き規制部は、両規制片の先端外周縁と、両規制片の先端縁部から側方に突出する一対の突部の外周面とから構成されているものにおいて、コネクタは、両規制片の先端外周縁と当接可能な一対の被当接面と、両被当接面から突出して設けられ両規制片と対向配置された一対の撓み片と、両撓み片に貫通して設けられ両突部の外周面と当接可能な内周面を有する一対の規制孔とを備えている構成としてもよい。
このような構成によると、支持部材の規制片の先端外周縁がコネクタの被当接面に当接し、支持部材の規制片の突部の外周面がコネクタの撓み片の規制孔の内周面に当接することにより、コネクタの傾きが規制される。
【０００７】
コネクタは、支持部材に対して正規位置と端部位置との間を幅方向に移動可能とされており、コネクタは、端部位置にあるときに両規制孔の内周面の一方が突部の外周面と非接触状態となり、一方の規制孔の内周面に替わって規制片の先端外周縁と当接可能となる補助突部を幅方向両側に一対備えている構成としてもよい。
このような構成においてコネクタが正規位置から端部位置に移動すると、両規制孔の内周面の一方が突部の外周面と非接触状態となるものの、これに替わって補助突部が規制片の先端外周縁と当接するから、コネクタの傾きが規制される。
【発明の効果】
【０００８】
本発明によれば、コネクタが正規の取付方向に対して傾いた姿勢となることを規制しつつ、正規の取付方向とは交差する方向へ移動することを許容することができる。
【発明を実施するための最良の形態】
【０００９】
＜実施形態１＞
本発明の実施形態１を図１ないし図８の図面を参照しながら説明する。本実施形態では、自動車のオートマチックトランスミッションのケース（図示せず）内に配される電気部品１が、ケース（本発明の「相手側部材」の一例）Ｒを介して外部回路に対して電気的に接続されるものを示す。尚、以下の説明において、幅方向とは図１の矢線方向を基準とし、前後方向とは図２の左右方向を基準として図示左側を前側とし、上下方向とは図１や図２の上下方向を基準とする。
【００１０】
ケースＲは合成樹脂製のプレートＲ１を有しており、このプレートＲ１には、外部回路と接続される外部回路用接続部（図示せず）と、電気部品１と接続される電気部品用接続部（図示せず）とが設けられている。この電気部品用接続部は、図１に示すように、プレートＲ１の一面（下面）に開口する取付孔（本発明の「所定の装着箇所」の一例）Ｒ２の内部に設けられている。また、取付孔Ｒ２の開口縁には、外方（図示Ｚ方向下方）に向けて間口が次第に大きくなる傾斜面を有する案内面Ｒ３が周設されている。尚、取付孔Ｒ２には、次述するコネクタ１０が挿入可能である。
【００１１】
電気部品１は、コネクタ１０と、コネクタ１０の下端部に取り付けられたブラケット（本発明の「支持部材」の一例）３０とを備えている。コネクタ１０は、ブラケット３０によって遊動可能に支持された状態となっている。この状態で、電気部品１をケースＲに組み付けることにより、コネクタ１０がケースＲの取付孔Ｒ２に取り付けられる。
【００１２】
ブラケット３０は、金属板を打ち抜き、折り曲げ加工することによって形成されている。ブラケット３０は、前後方向に延びる平板状の基底部３１と、基底部３１の前縁から上方に立ち上がる取付片３３と、基底部３１の幅方向両側縁から上方に立ち上げられて取付片３３の両側に対向配置された一対の規制片３２とを備えている。
【００１３】
取付片３３は、その上端部を幅広に形成した第１幅広部３３Ａと、その第１幅広部３３Ａよりも下側（基底部３１側）に形成された第２幅広部３３Ｂとを備えている。第２幅広部３３Ｂは、第１幅広部３３Ａよりもやや幅広に設定されており、かつ、上下方向の寸法が第１幅広部３３Ａよりも長めに設定されている。また、取付片３３において第１幅広部３３Ａの下端と第２幅広部３３Ｂの上端との間は、第１幅広部３３Ａよりも幅狭に形成された第１幅狭部３３Ｃとされ、取付片３３において第２幅広部３３Ｂの下端と連なる部分は、第２幅広部３３Ｂよりも幅狭に形成された第２幅狭部３３Ｄとされている。
【００１４】
また、取付片３３において第１幅狭部３３Ｃから第２幅狭部３３Ｄにかけての範囲には、抜止孔３３Ｅが取付片３３の板厚方向に貫通して形成されている。抜止孔３３Ｅは、その上端側が幅狭に形成されている。
【００１５】
規制片３２の先端縁部（上端縁部）は、やや後方に突出した形状をなしている。詳細には、規制片３２の先端縁部は、その上端を構成する上部水平面３２Ａと、上部水平面３２Ａの後端縁から下方に延びる鉛直面と、鉛直面の下端縁から前方に延びて水平面３２Ａと平行をなす下部水平面３２Ｂと、下部水平面３２Ｂの前端縁から斜め下前方に延びる傾斜面３２Ｃとを備えている。尚、上部水平面３２Ａと鉛直面と下部水平面３２Ｂと傾斜面３２Ｃとは、本発明の「規制片の先端外周縁」を構成している。
【００１６】
規制片３２の先端縁部における外側面には、円柱状をなす突部３４が幅方向に突出して設けられている。尚、突部３４の外周面、上部水平面３２Ａ、下部水平面３２Ｂは、本発明の「傾き規制部」の一例である。
【００１７】
コネクタ１０は上方に開口した円筒状をなす本体部１１を有し、本体部１１内部における奥端（下端）には、雄タブ（図示せず）が上方に突出して設けられている。本体部１１の外周面における上端部には、カム溝１２がらせん状に形成されている。一方、電気部品用接続部は回動部材（図示せず）を有し、この回動部材（図示せず）に設けられたカムピン（図示せず）がカム溝１２内部に進入可能となっている。このため、コネクタ１０を取付孔Ｒ２内部に挿入させカムピンをカム溝１２内部に進入させた後、回動部材を回動させることによりコネクタ１０が取付孔Ｒ２の奥方（上方）へ引き込まれる。そして、コネクタ１０が取付孔Ｒ２内部の正規の挿入位置まで挿入されると、コネクタ１０が電気部品用接続部と正規嵌合する。
【００１８】
本体部１１の外周面においてカム溝１２の下方には、ゴム栓取付溝１３が周設されている。このゴム栓取付溝１３には、ゴムリング４０が装着されており、本体部１１が取付孔Ｒ２内部に挿入されると、ゴムリング４０が取付孔Ｒ２の内周面とゴム栓取付溝１３を構成する周面との間で全周方向に亘って密着した状態となる。このため、取付孔Ｒ２の外部から内部に水が浸入することが規制される。
【００１９】
本体部１１の下端部における前縁には、ブラケット３０の取付片３３と接続されるブラケット接続部１４が垂下形成されている。また、本体部１１の下端部における幅方向両側には、平坦な被当接面１１Ａがそれぞれ形成されている。両被当接面１１Ａは、コネクタ１０がブラケット３０に対して遊動可能に装着された状態では両規制片３２の上部水平面３２Ａと当接可能である。
【００２０】
ブラケット接続部１４は、取付片３３の第１幅広部３３Ａが挿通される第１挿通溝１５と、取付片３３の第２幅広部３３Ｂが挿通される第２挿通溝１６とを備え、第１挿通溝１５が第２挿通溝１６の上方に配置されている。また、ブラケット接続部１４は両挿通溝１５，１６の前後両側にそれぞれ配置された一対の保護壁１７を備えており、これにより両挿通溝１５，１６が外部の衝撃によって損傷することが規制されている。
【００２１】
ブラケット接続部１４において第１挿通溝１５の上方には、第１幅広部３３Ａを収容可能とする第１収容空間１８Ａが形成されている。第１収容空間１８Ａは、その前後寸法が第１幅広部３３Ａの前後寸法よりも大きめに設定され、その幅寸法が第１幅広部３３Ａの幅寸法よりも幅広に設定されている。このため、第１収容空間１８Ａ内部に収容された第１幅広部３３Ａは、両保護壁１７間で前後方向及び幅方向に自由に移動可能である。
【００２２】
尚、第１収容空間１８Ａは、保護壁１７を略Ｔ字形に切り欠くことにより形成された切り欠き部１７Ａにおいて幅方向に延びる開口部から前方に臨んでいる。この切り欠き部１７Ａにおいて上下方向に延びる開口部の下端には、保護壁１７の板厚方向（前後方向）に撓み可能な係止片１９が上方に突出して設けられている。
【００２３】
ブラケット接続部１４において第１挿通溝１５の下端と第２挿通溝１６の上端との間には、第２幅広部３３Ｂを収容可能とする第２収容空間１８Ｂが形成されている。第２収容空間１８Ｂは、その前後寸法が第２幅広部３３Ｂの前後寸法よりも大きめに設定され、その幅寸法が第２幅広部３３Ｂの幅寸法よりも幅広に設定されている。このため、第２収容空間１８Ｂ内部に収容された第２幅広部３３Ｂは、両保護壁１７間で前後方向及び幅方向に自由に移動可能である。
【００２４】
取付片３３において第１幅広部３３Ａと第２幅広部３３Ｂとの間には、両幅広部３３Ａ，３３Ｂよりも幅狭の第１幅狭部３３Ｃが形成されている。第１幅狭部３３Ｃは、第１挿通溝１５の両溝部の幅方向内側に配置されており、両保護壁１７間で前後方向及び幅方向に自由に移動可能である。また、取付片３３において第２幅広部３３Ｂの下方には、第２幅広部３３Ｂよりも幅狭の第２幅狭部３３Ｄが形成されている。第２幅狭部３３Ｄは、第２挿通溝１６の両溝部の幅方向内側に配置されており、両保護壁１７間で前後方向及び幅方向に自由に移動可能である。
【００２５】
コネクタ１０のブラケット接続部１４がブラケット３０の取付片３３に取り付けられた状態では、図１に示すように、第１幅広部３３Ａが第１収容空間１８Ａ内に収容され、第１幅狭部３３Ｃが第１挿通溝１５の両溝部間に配置され、第２幅広部３３Ｂが第２収容空間１８Ｂ内に収容され、第２幅狭部３３Ｄが第２挿通溝１６の両溝部間に配置されている。このため、コネクタ１０は、図１に示す正規位置と、図５に示す端部位置との間で、幅方向に移動することが許容される。また、コネクタ１０は、図２に示す正規位置と、図７に示す後端位置及び図８に示す前端位置との間で、前後方向に移動することが許容される。
【００２６】
さて、本実施形態では、取付孔Ｒ２に挿入されたコネクタ１０の軸心と平行をなす軸をＺ軸と定義したときに、コネクタ１０の軸心がＺ軸に対して傾くことを規制しつつ、コネクタ１０がＺ軸と交差する平面に沿う方向（すなわち幅方向及び前後方向）へ移動することを許容する構成が採られている。以下、この構成について詳細に説明する。
【００２７】
本体部１１の両被当接面１１Ａの外縁部には、下方に突出する形態をなす一対の撓み片１１Ｂが形成されている。両撓み片１１Ｂは、幅方向に対向配置されており、幅方向外側に撓み可能である。両撓み片１１Ｂには、幅方向に貫通し前後方向に長い長孔形状をなす一対の規制孔１１Ｃが形成されている。コネクタ１０が正規位置にある状態では、図１に示すように、両突部３４の先端部が両規制孔１１Ｃ内に嵌まり込んだ状態となる。尚、規制孔１１Ｃの前後寸法は突部３４の直径より大きいため、コネクタ１０が、図７に示すように、後端位置へ平行移動することを許容すると共に、図８に示すように、前端位置へ平行移動することを許容する。
【００２８】
両突部３４の先端部が両規制孔１１Ｃ内に嵌り込んだ状態で、コネクタ１０が左方に傾こうとすると、右側の規制孔１１Ｃの内周面下部が右側の突部３４の外周面下部に当接すると共に、左側の規制孔１１Ｃの内周面上部が左側の突部３４の外周面上部に当接し、あるいは、左側の被当接面１１Ａが左側の規制片３２の上部水平面３２Ａに当接する。いずれの当接状態であっても、コネクタ１０は、両規制片３２に対して幅方向両側で当接した状態に保持されるため、コネクタ１０の回転モーメントに対抗しコネクタ１０が左方に傾くことが規制される。
【００２９】
また、コネクタ１０が右方に傾こうとすると、左側の規制孔１１Ｃの内周面下部が左側の突部３４の外周面下部に当接すると共に、右側の規制孔１１Ｃの内周面上部が右側の突部３４の外周面上部に当接し、あるいは、右側の被当接面１１Ａが右側の規制片３２の上部水平面３２Ａに当接する。いずれの当接状態であっても、コネクタ１０は、両規制片３２に対して幅方向両側で当接した状態に保持されるため、コネクタ１０の回転モーメントに対抗しコネクタ１０が右方に傾くことが規制される。
【００３０】
一方、正規位置においてコネクタ１０が後方に傾こうとすると、図３に示すように、規制孔１１Ｃの内周面下部が突部３４の外周面下部に当接すると共に、被当接面１１Ａが規制片３２の上部水平面３２Ａの後端に当接する。このように、コネクタ１０は、規制片３２に対して前後２点の当接部Ａ１，Ｂ１で当接した状態に保持されるため、コネクタ１０の回転モーメントに対抗しコネクタ１０が後方に傾くことが規制される。
【００３１】
また、正規位置においてコネクタ１０が前方に傾こうとすると、図４に示すように、被当接面１１Ａが規制片３２の上部水平面３２Ａの前端に当接すると共に、規制孔１１Ｃの内周面下部が突部３４の外周面下部に当接する。このように、コネクタ１０は、規制片３２に対して前後２点の当接部Ａ２，Ｂ２で当接した状態に保持されるため、コネクタ１０の回転モーメントに対抗しコネクタ１０が前方に傾くことが規制される。
【００３２】
上述したように正規位置におけるコネクタ１０は、前後２点の当接部Ａ１，Ｂ１もしくはＡ２，Ｂ２で規制片３２の先端縁部に当接する。また、正規位置におけるコネクタ１０は、両規制片３２の先端縁部が両当接部Ａ１，Ｂ１もしくはＡ２，Ｂ２を結ぶ方向（前後方向）とは交差する方向（幅方向）に配置されることで、幅方向両側で両規制片３２の先端縁部に当接する。したがって、正規位置におけるコネクタ１０は、前後左右に傾くことが規制される。尚、上記の説明はコネクタ１０が正規位置にある場合における動作説明であるものの、コネクタ１０が前端位置もしくは後端位置に平行移動した場合であっても、前後左右に傾くことが規制されるのはいうまでもなく、正規位置における動作と同様の説明となるためそれらの説明を省略する。
【００３３】
次に、コネクタ１０が正規位置から図５に示す右側の端部位置へ平行移動した場合には、左側の規制片３２の突部３４は、左側の撓み片１１Ｂの規制孔１１Ｃ内に嵌り込んだ状態のままであるものの、右側の規制片３２の突部３４は、右側の撓み片１１Ｂの規制孔１１Ｃから外れた状態となる。このままでは、コネクタ１０が左方に傾く事態が発生してしまう。
【００３４】
そこで本願発明では、このような事態を防ぐための措置が施されている。すなわち、コネクタ１０において両規制片３２の内側には、一対の補助突部２０が両規制片３２側に突出して設けられ、右側の補助突部２０が、図６に示すように、右側の規制片３２の下部水平面３２Ｂに当接するようになっている。このとき、詳細には、右側の被当接面１１Ａが右側の規制片３２の上部水平面３２Ａの前端に当接すると共に、右側の補助突部２０の上面が右側の規制片３２の下部水平面３２Ｂに当接する。つまり、コネクタ１０は、規制片３２に対して前後２点の当接部Ａ３，Ｂ３で当接した状態に保持されるため、コネクタ１０の回転モーメントに対抗しコネクタ１０が前方に傾くことが規制されると共に、コネクタ１０が左方に傾くことが規制される。尚、コネクタ１０が後方及び右方に傾こうとしたときには、左側の規制孔１１Ｃの内周面下部が左側の突部３４の外周面下部に当接するため、コネクタ１０が後方及び右方に傾くことが規制される。
【００３５】
さらに、コネクタ１０が左側の端部位置へ平行移動した場合であっても、前後左右に傾くことが規制されるのはいうまでもなく、右側の端部位置における動作と同様であるためその説明を省略する。
【００３６】
本実施形態は以上のような構成であって、続いてその作用を説明する。まず、コネクタ１０をブラケット３０に装着する。コネクタ１０のブラケット接続部１４に対してブラケット３０の取付片３３を挿入していくと、係止片１９が抜止孔３３Ｅに弾性的に嵌り込む。これと併行して、両撓み片１１Ｂが幅方向外側に開き変形しつつ両突部３４を乗り越えると、両撓み片１１Ｂが弾性的に復帰して両突部３４が両規制孔１１Ｃ内に嵌り込む。この状態では、第１幅広部３３Ａが第１収容空間１８Ａに収容され、第１幅狭部３３Ｃが第１挿通溝１５の両溝部間に位置し、第２幅広部３３Ｂが第２収容空間１８Ｂに収容され、第２幅狭部３３Ｄが第２挿通溝１６の両溝部間に位置する。さらに、両突部３４が前後方向に長い長孔形状をなす両規制孔１１Ｃ内に位置し、両撓み片１１Ｂの内側面と両規制片３２の外側面との間には所定の間隔が確保されているため、コネクタ１０は、幅方向及び前後方向に自由に移動することが許容される。
【００３７】
ここで、電気部品１をケースＲへ組み付ける際の組付環境によっては、電気部品１を種々の方向に傾けながらコネクタ１０を取付孔Ｒ２の開口縁部へ近づけていく必要がある。このとき、作業者はブラケット３０側を持ってケースＲへ組み付けを行う必要があり、コネクタ１０がブラケット３０の陰になって見えない場合がある。そのような場合に、コネクタ１０がブラケット３０に対して傾いた姿勢となっていると、取付孔Ｒ２に対してコネクタ１０が傾いた姿勢のまま押し込まれることになり、コネクタ１０の先端部が取付孔Ｒ２の開口縁部に干渉しコネクタ１０の先端部を取付孔Ｒ２の内部に差し込むことができなくなる。
【００３８】
しかしながら、本実施形態では、コネクタ１０がブラケット３０に対して傾くことが規制されているから、コネクタ１０の軸心が正規の取付方向（Ｚ軸方向）を向いた状態に保持することができ、コネクタ１０を取付孔Ｒ２に対して芯合わせし易くなっている。具体的には、正規位置にあるコネクタ１０は、前側当接部Ａ１，Ａ２において被当接面１１Ａが規制片３２の上部水平面３２Ａに当接すると共に、後側当接部Ｂ１，Ｂ２において規制孔１１Ｃの内周面が突部３４の外周面に当接しているため、コネクタ１０がブラケット３０に対して前方及び後方に傾くことが規制される。また、正規位置にあるコネクタ１０は、幅方向一方側において被当接面１１Ａが規制片３２の上部水平面３２Ａに当接すると共に、同他方側において規制孔１１Ｃの内周面が突部３４の外周面に当接するから、コネクタ１０がブラケット３０に対して幅方向に傾くことが規制される。
【００３９】
また、右側の端部位置にあるコネクタ１０は、前側当接部Ａ３において右側の被当接面１１Ａが右側の規制片３２の上部水平面３２Ａに当接すると共に、後側当接部Ｂ３において右側の補助突部２０の上面が右側の規制片３２の下部水平面３２Ｂに当接するため、ブラケット３０に対して前方に傾くことが規制される。また、右側の端部位置にあるコネクタ１０は、左側の被当接面１１Ａが左側の規制片３２の上部水平面３２Ａに当接し、あるいは、左側の規制孔１１Ｃの内周面が左側の突部３４の外周面と当接すると共に、右側の補助突部２０の上面が右側の下部水平面３２Ｂに当接するため、ブラケット３０に対して右方に傾くことが規制される。尚、右側の端部位置にあるコネクタ１０が後方及び左方に傾こうとした場合の動作については正規位置にあるコネクタ１０の動作と同様であるためその説明を省略する。また、左側の端部位置にあるコネクタ１０の動作については右側の端部位置にあるコネクタ１０の動作と同様であるためその説明を省略する。
【００４０】
こうして、コネクタ１０の芯合わせ作業を行いつつ電気部品１をケースＲへ組み付けることにより、コネクタ１０を取付孔Ｒ２に挿入することができる。このとき、電気部品１をケースＲに向けて押し込む力の方向がＺ軸方向に対してずれるおそれがあるものの、コネクタ１０がブラケット３０に対して前後左右に自由に移動することが許容されているから、上記力の方向をＺ軸方向に修正可能である。これに加えて、コネクタ１０のブラケット３０に対する組み付け誤差を吸収することができ、コネクタ１０の取付孔Ｒ２に対する円滑な挿入動作を確保することができる。
【００４１】
さらに、コネクタ１０を取付孔Ｒ２へ取り付けた後に、ブラケット３０側に他の部品等を組み付ける場合がある。このような場合であっても、ブラケット３０がコネクタ１０に対して前後左右に自由に移動可能となっているから、取付位置の微調整を行うことができ、他の部品等を容易に取り付けることができる。
【００４２】
以上のように本実施形態では、コネクタ１０を取付孔Ｒ２へ挿入する際に、両規制片３２の先端縁部が幅方向両側でコネクタ１０の下面部に当接し、かつ、各規制片３２において規制片３２の先端縁部が前後２点の当接部Ａ１〜Ａ３、Ｂ１〜Ｂ３でコネクタ１０に当接するから、コネクタ１０が正規の取付方向に対して傾いた姿勢となることが規制される。したがって、コネクタ１０の軸心を取付孔Ｒ２に一致させて芯合わせする作業が容易になる。また、コネクタ１０を取付孔Ｒ２に挿入した後においては、ブラケット３０側をコネクタ１０に対して正規の取付方向と交差する方向へ移動させることができる。したがって、他の部品等をブラケット３０側に取り付ける際に、その取付位置の微調整が可能になる。
【００４３】
具体的には、ブラケット３０の規制片３２の上部水平面３２Ａがコネクタ１０の被当接面１１Ａに当接し、ブラケット３０の規制片３２の突部３４の外周面がコネクタ１０の撓み片１１Ｂの規制孔１１Ｃの内周面に当接することにより、コネクタ１０の傾きが規制される。また、コネクタ１０が端部位置にあるときには、両規制孔１１Ｃの内周面の一方が突部３４の外周面と非接触状態となるものの、補助突部２０の上面が一方の規制孔１１Ｃの内周面に替わって規制片３２の下部水平面３２Ｂと当接することにより、コネクタ１０の傾きが規制される。
【００４４】
＜他の実施形態＞
本発明は上記記述及び図面によって説明した実施形態に限定されるものではなく、例えば次のような実施形態も本発明の技術的範囲に含まれる。
（１）本実施形態では本体部１１の被当接面１１Ａと規制孔１１Ｃの内周面とでブラケット３０の規制片３２の先端縁部と当接するようにしているものの、本発明によると、規制片３２の先端縁部に一対の突部３４を前後に配置し、両突部３４が共に規制孔１１Ｃに嵌り込むようにしてもよいし、両突部３４が独立して設けられた一対の規制孔１１Ｃに嵌り込むようにしてもよい。この場合、規制孔１１Ｃの前後寸法を両突部３４間の距離よりも長めに設定することにより、コネクタ１０の前後方向における自由な移動を確保することができる。
【００４６】
（３）本実施形態では両撓み片１１Ｂを両規制片３２の幅方向外側に配置しているものの、本発明によると、両撓み片１１Ｂを両規制片３２の幅方向内側に配置してもよい。
【００４７】
（４）本実施形態ではコネクタ１０側に補助突部２０を設けているものの、本発明によると、ブラケット３０側に補助突部を設け、この補助突部と当接可能な被当接面をコネクタ１０側に設けてもよい。同様に、本実施形態ではブラケット３０側に突部３４を設けているものの、本発明によると、コネクタ１０の撓み片１１Ｂ側に突部を設け、この突部と当接可能な被当接面をブラケット３０の規制片３２の先端縁部に設けてもよい。
【００４８】
（５）本実施形態ではコネクタ１０が端部位置へ移動したときに一方の突部３４が規制孔１１Ｃから外れるようになっているものの、本発明によると、コネクタ１０が端部位置へ移動したときでも両突部３４が両規制孔１１Ｃ内に嵌り込んだ状態としてもよく、この場合には、補助突部２０を設けなくてもよい。
【図面の簡単な説明】
【００４９】
【図１】本実施形態においてコネクタが正規位置にある状態を示した正面図
【図２】そのコネクタが正規位置にある状態を示した一部切り欠き側面図
【図３】その正規位置においてコネクタが後方に傾くことを規制する様子を示した一部切り欠き側面図
【図４】その正規位置においてコネクタが前方に傾くことを規制する様子を示した一部切り欠き側面図
【図５】そのコネクタが端部位置にある状態を示した正面図
【図６】その端部位置においてコネクタが前方に傾くことを規制する様子を示した一部切り欠き側面図
【図７】そのコネクタが後端位置にある状態を示した一部切り欠き側面図
【図８】そのコネクタが前端位置にある状態を示した一部切り欠き側面図
【符号の説明】
【００５０】
１…電気部品
１０…コネクタ
１１Ａ…被当接面
１１Ｂ…撓み片
１１Ｃ…規制孔
２０…補助突部
３０…ブラケット（支持部材）
３２…規制片
３２Ａ…上部水平面（傾き規制部）
３２Ｂ…下部水平面（傾き規制部）
３３…取付片
３４…突部（傾き規制部）
Ａ１〜Ａ３，Ｂ１〜Ｂ３…当接部
Ｒ…ケース（相手側部材）
Ｒ２…取付孔（所定の装着箇所）
【図１】
0005050860.tif 000002
【図２】
0005050860.tif 000003
【図３】
0005050860.tif 000004
【図４】
0005050860.tif 000005
【図５】
0005050860.tif 000006
【図６】
0005050860.tif 000007
【図７】
0005050860.tif 000008
【図８】
0005050860.tif 000009